(57)【要約】【課題】  ユーザーが手を使えなような状況でも容易な方法で動作条件の設定を行える電気機器を提供することにある。【解決手段】  この画像形成装置１は、所定の画像形成条件に従って画像形成可能な装置であって、本体部５と、表示パネル２１と、フットキー９とを備えている。本体部５は、胴体部５ａと胴体部５ａの下方に位置する底部５ｂとを有する。表示パネル２１は、本体部５の胴体部５ａに設けられ、画像形成条件の設定のための設定画面を表示可能であるとともに画像形成条件の設定操作が可能である。フットキー９は、本体部５の底部５ｂに設けられ、画像形成条件の設定操作が可能である。【選択図】      図１
2005241719.tif 000002
【特許請求の範囲】
【請求項１】
所定の動作条件に従って動作可能な電気機器であって、
胴体部と前記胴体部の下方に位置する底部とを有する本体部と、
前記本体部に設けられ、前記動作条件の設定のための設定画面を表示可能な表示部と、
前記本体部の胴体部に設けられ、前記動作条件の設定操作が可能な第１設定操作部と、
前記本体部の底部に設けられ、前記動作条件の設定操作が可能な第２設定操作部と、
を備えた電気機器。
【請求項２】
前記設定画面には、複数の選択領域が表示され、
前記第２設定操作部は、前記設定画面に表示された選択領域を選択的にアクティブ状態に切り替えるための第１操作部材と、前記第１操作部材によってアクティブ状態にされた選択領域を確定するための第２操作部材と、前記第２操作部材により確定された選択領域を確定解除するための第３操作部材とを有している、
請求項１に記載の電気機器。
【請求項３】
前記設定画面は、階層式に構成されており、所定の前記選択領域に対する前記第２操作部材の操作により階層下降可能であるとともに、所定の前記選択領域に対する前記第３操作部材の操作により階層上昇可能である、請求項２に記載の電気機器。
【請求項４】
前記設定画面において、前記第２操作部材により前記動作条件が確定されると、確定された前記動作条件による動作の開始を指示するための指示ボタンが表示される、請求項２又は３に記載の電気機器。
【請求項５】
前記本体部は、転写材に対し画像形成を行う画像形成部を有し、
前記第１及び第２設定操作部は、前記画像形成部による画像形成条件を設定可能である、
請求項１からの４いずれが１項に記載の電気機器。
【請求項６】
前記本体部は、前記胴体部の上部に原稿が載置される原稿載置台を有し、
前記原稿載置台に対し開閉自在に前記本体部の上部に装着された原稿カバーをさらに備え、
前記第２設定操作部は、前記原稿カバーを開閉させることができる、
請求項５に記載の電気機器。
【発明の詳細な説明】
【技術分野】
【０００１】
本発明は、電気機器、特に、所定の動作条件に従って動作可能な電気機器に関する。
【背景技術】
【０００２】
例えば、複写機、プリンタ等の画像形成装置は、用紙等に画像形成を行うための画像形成部を含む本体部と、画像形成条件を含む本体部の動作条件を設定するための設定操作部と、本体部の上部に形成された原稿載置台に対し開閉自在な原稿カバーとを備えている。本体部は、画像形成部が配置される胴体部と、用紙等の転写材が収納される給紙カセットが配置される底部とを有している。設定操作部は、動作条件等が表示される表示部と、動作条件の設定等を行うための操作キーを有している。
【０００３】
かかる従来の画像形成装置として、例えば、ユーザーが両手で物を持っているために手が使えないような状況でも、足で操作することで簡単な動作の指示等を行える操作ペダルを備えたものが既に提案されている（例えば、特許文献１〜３参照）。
【０００４】
特許文献１の技術では、操作ペダルを踏むことで、印刷を指示することができるようになっている。特許文献２の技術では、操作ペダルを操作することで、マウスで画面上のポインタを移動させるような動作を行うことができるようになっている。特許文献３の技術では、原稿カバー及び給紙カセットの開閉や電源のオン／オフを行えるようになっている。
【０００５】
ところで、近年の画像形成装置では、設定操作部に、大型の液晶ディスプレイで構成される表示部を設け、画像形成条件の設定画面が表示できるようにしたものが普及している。この種の画像形成装置では、表示部を参照しながら画像形成条件を設定できるので、複雑な条件であっても設定作業を容易に行える。
【特許文献１】特開平８−２９７３８７号公報
【特許文献２】特開平１１−１１９９０９号公報
【特許文献３】特開２００３−１６３７７０号公報
【発明の開示】
【発明が解決しようとする課題】
【０００６】
しかしながら、上記特許文献１及び３の操作ペダルでは、印刷の開始や原稿カバーの開閉といった単純な動作を指示できるに過ぎず、複雑な画像形成条件の設定を行うには、ユーザーは、例えば、両手に持った原稿書類を一旦別の場所に置いて、結局手で操作キーを操作して設定しなければならない。また、上記特許文献２の操作ペダルでは、マウスと同様の動作を行うために、ユーザーに対し複雑な操作及びその操作方法の取得を強いることになり、負担が大きくなる。
【０００７】
本発明の目的は、ユーザーが手を使えなような状況でも容易な方法で動作条件の設定を行える電気機器を提供することにある。
【課題を解決するための手段】
【０００８】
請求項１に係る電気機器は、所定の動作条件に従って動作可能な機器であって、本体部と、表示部と、第１設定操作部と、第２設定操作部とを備えている。本体部は、胴体部と胴体部の下方に位置する底部とを有する。表示部は、本体部に設けられ、動作条件の設定のための設定画面を表示可能である。第１設定操作部は、本体部の胴体部に設けられ、動作条件の設定操作が可能である。第２設定操作部は、本体部の底部に設けられ、動作条件の設定操作が可能である。
【０００９】
この機器では、第１及び第２設定操作部のいずれによっても、表示部の設定画面を見ながら動作条件の設定操作を行える。ユーザーが手を使える場合は、上方に位置する第１設定操作部により設定操作を容易に行うことができるが、ユーザーが手を使えない場合であっても、下方に位置する第２設定操作部を足で操作することで、表示部の設定画面を見ながらにして、設定操作を行うことができる。
【００１０】
したがって、ここでは、ユーザーが両手を使えないような状況でも、単純な動作の指示に比べ複雑な設定操作が要求される動作条件の設定を容易に行うことができる。
【００１１】
なお、本発明において、動作条件には、例えば電気機器が画像形成装置である場合の印刷動作の指示のような単純な動作の指示は含まれないものとする。また、所定の動作条件には、電気機器の製造時、出荷時等に予め設定されたデフォルト値や、ユーザー等により後から設定された値が含まれる。
【００１２】
請求項２に係る電気機器は、請求項１の機器において、設定画面には、複数の選択領域が表示される。そして、第２設定操作部は、設定画面に表示された選択領域を選択的にアクティブ状態に切り替えるための第１操作部材と、第１操作部材によってアクティブ状態にされた選択領域を確定するための第２操作部材と、第２操作部材により確定された選択領域を確定解除するための第３操作部材とを有している。
【００１３】
この機器では、第１〜３操作部材はそれぞれ、例えば情報処理装置の入力手段（キーボード、マウス等）における、タブキー，確定キー（又はマウスの左クリック用ボタン）、キャンセルキー（又はマウスの右クリック用ボタン）としての機能を有しており、これら３つの機能を組み合わせて利用することで、複雑な動作条件の設定でも容易に行えるようになっている。
【００１４】
なお、本発明において、アクティブ状態とは、外部からの入力を受付可能な状態をいう。また、選択領域としては、具体的に、確定されることで特定の機能を実行するボタン又は入力領域や、これらのボタン等が複数を含まれる領域が挙げられる。
【００１５】
また、本発明において、確定という場合には、例えば、ある選択領域をアクティブ状態にしてその機能を実行させることを決定することのほか、階層式の設定画面においてはより深い階層に階層が進むこと（以下、単に階層下降ともいう）が含まれる。一方、確定解除という場合は、例えば、ある選択領域についてその機能の実行が決定された状態を解除することのほか、階層式の設定画面においてはより浅い階層に階層が戻ること（以下、単に階層上昇ともいう）が含まれる。
【００１６】
請求項３に係る電気機器は、請求項２の機器において、設定画面は、階層式に構成されており、所定の選択領域に対する第２操作部材の操作により階層下降可能であるとともに、所定の選択領域に対する第３操作部材の操作により階層上昇可能である。
【００１７】
この機器では、階層式の設定画面が表示され、複雑な動作条件の設定を行うことができるが、ここでの第２及び第３操作部材は、階層下降及び階層上昇も可能であるため、より複雑な動作条件の設定も容易に行えるようになる。
【００１８】
請求項４に係る電気機器は、請求項２又は３の機器において、設定画面において、第２操作部材により動作条件が確定されると、確定された動作条件による動作の開始を指示するための指示ボタンが表示される。
【００１９】
この機器では、動作条件が最終的に確定されると、指示ボタンが自動的に表示されることで、動作条件の設定から動作の開始の指示に至るまでの一連の操作を足で行えるようになり、さらに使い勝手が良くなる。
【００２０】
なお、請求項４の電気機器において、動作条件が確定されることには、例えば、設定画面に表示される「閉じる」ボタンを押すことが含まれるが、単にプログラム機能を登録するに過ぎないような場合は含まれないものとする。
【００２１】
請求項５に係る電気機器は、請求項１から４のいずれか１項の機器において、本体部は、転写材に対し画像形成を行う画像形成部を有している。第１及び第２設定操作部は、画像形成部による画像形成条件を設定可能である。
【００２２】
ここでは、特に、電気機器が画像形成装置である場合において、ユーザーが手を使えないような状況であっても容易に画像形成条件の設定を行えるようになっている。
【００２３】
請求項６に係る電気機器は、請求項５の機器において、本体部は、胴体部の上部に原稿が載置される原稿載置台を有している。又、電気機器は、原稿載置台に対し開閉自在に前記本体部の上部に装着された原稿カバーをさらに備えている。そして、第２設定操作部は、原稿カバーを開閉させることができる。
【００２４】
ここでは、第２設定操作部によって、原稿カバーを開閉できるようにしたことで、複写機として用いられる場合に、原稿載置から画像形成条件の設定に至る一連の動作を足で行えるようになり、さらに使い勝手が良くなる。
【発明の効果】
【００２５】
本発明によれば、ユーザーが手を使える場合は、上方に位置する第１設定操作部により設定操作を容易に行うことができるが、ユーザーが手を使えない場合であっても、下方に位置する第２設定操作部を足で操作することで、表示部の設定画面を見ながらにして、設定操作を行うことができる。したがって、本発明によれば、ユーザーが両手を使えないような状況でも、単純な動作の指示に比べ複雑な設定操作が要求される動作条件の設定を容易に行うことができる。
【発明を実施するための最良の形態】
【００２６】
［画像形成装置の構成］
図１及び図２に、本発明の一実施形態が採用された画像形成装置１を示す。
【００２７】
この画像形成装置１は、複写機、プリンタ、ファクシミリ装置及びスキャナ装置としての機能を併せ持つ複合型の機種であり、原稿カバー３と、本体部５と、操作パネル７と、フットキー９とを備えている。
【００２８】
原稿カバー３は、後述する原稿載置台２に載置された原稿を押さえるためのものであり、原稿載置台２に対して開閉自在に本体部５に装着されている。
【００２９】
本体部５は、胴体部５ａに配置された画像読取部１１，画像形成部１３及び制御部１５と、底部５ｂに配置された複数の給紙カセット１７とを備えている。胴体部５ａの上部には、原稿が載置されるための、コンタクトガラスで構成された原稿載置台２が設けられている。
【００３０】
画像読取部１１は、原稿に記録された画像情報を読み取るためのものであり、図示しない光学系を有している。
【００３１】
画像形成部１３は、画像読取部１１で読み取られた画像情報や外部から送られる画像情報に基づいて、転写材に対して画像形成を行うためのものであり、図示しない感光体ドラム、主帯電装置、現像装置、転写装置及び定着装置等を含んでいる。
【００３２】
制御部１７は、ＣＰＵ、メモリ等を含むマイクロコンピュータで構成されている。メモリは、ＲＡＭ及びＲＯＭで構成されフットキー９及び画像形成部１３等の入出力部の動作を制御するための制御プログラムが格納されるとともに、この制御プログラムがＣＰＵにより実行される際の作業領域として機能する。制御プログラムには、フットキー９により後述する動作を行うためのプログラムが含まれている。
【００３３】
給紙カセット１７は、用紙等の転写材が収納されるものであり、上下方向に複数並べて配置されている。
【００３４】
また、本体部５は、給紙カセット１７及び手差しトレイ１６から転写材を画像形成部１３に向けて搬送するための給紙部（図示せず）や、画像形成が行われた転写材を外部に排出するための排紙部（図示せず）、他の外部接続機器との間で入出力信号の送受信を行う通信部（図示せず）をさらに備えている。
【００３５】
操作パネル７は、本体部５において原稿載置台２の手前側部分に設けられ、表示パネル（表示部及び第１設定操作部）２１と、複数の操作キー（第１設定操作部）２３とを有している。
【００３６】
表示パネル２１は、タッチパネル式の液晶ディスプレイで構成されており、表示される設定画面等に対してタッチパネルを介して触れることで画像形成条件の設定等を行うことができる。設定画面としては、例えば、図３〜１７に示される画面が挙げられる。操作キー２３は、印刷を指示するためのスタートキーや、各種設定のための設定キー及びテンキー等を有しており、設定キー等によっても、表示パネル２１に表示された設定画面に対して設定操作を行えるようになっている。
【００３７】
これらの設定画面は、階層式に構成されており、所定の選択領域に対して確定キー９ｂが操作されることで階層下降し、所定の選択領域に対してキャンセルキー９ｃが操作されることで階層上昇するようになっている。また、各設定画面には、２つ以上の選択領域が表示される。
【００３８】
フットキー９は、最下段の給紙カセット１７の下方に設けられ、給紙カセット１７の手前側に配置されている。フットキー９は、主としてユーザーが足で踏むことで、印刷条件の設定等を行うことができるよう構成されており、タブキー９ａ，確定キー９ｂ及びキャンセルキー９ｃの３つのキーで構成される。
【００３９】
タブキー９ａは、１回踏まれるごとに、設定画面に表示された複数の選択領域を順にアクティブ状態に切り替えることができる。確定キー９ｂは、アクティブ状態にされた選択領域を確定して、所定の機能の実行を決定したり階層下降したりすることができる。また、確定キー９ｂは、閉じた原稿カバー３を開くこともできるようになっている。キャンセルキー９ｃは、確定された選択領域を確定解除して、所定の機能が決定された状態を解除したり、階層上昇したりすることができる。また、キャンセルキー９ｃは、開いた原稿カバー３を閉じることもできるようになっている。
【００４０】
［画像形成装置の動作］
次に、画像形成装置１の動作について説明する。
【００４１】
ここでは、特にフットキー９の操作により設定操作を行う場合に注目して説明する。
この画像形成装置１では、通常の印刷待機状態（以下、基本状態ともいう）では、図３に示すように、第１階層の基本画面３１が表示されるとともに、同じ第１階層のユーザ機能画面，機能リスト画面及びプログラム画面をそれぞれ開くためのタブ（選択領域）３０，３２，３４，３６が表示される。また、基本状態では、設定操作を終了するための設定終了ボタン５０が画面右側に表示され、このボタンが押されると、図５に示す印刷指示画面５１が表示されるようになっている。そして、基本状態では、基本タブ３０がアクティブ状態になっており、タブキー９ａを踏むごとに各タブ３０，３２，３４，３６及び設定終了ボタン５０が順にアクティブ状態に切り替わり、この順に循環するようになっている。
【００４２】
この基本画面３１は、横方向に４つの領域に区分されたそれぞれ第２階層である用紙選択エリア４１，濃度設定エリア４３，倍率設定エリア４５及びソート設定エリア４７と、機能登録エリア４９とを有している。これらの選択領域も、タブキー９ａを踏むごとに順にアクティブ状態にされるようになっている。
【００４３】
なお、各設定画面では、アクティブ状態にされた選択領域が他の選択領域と容易に区別できるよう、周囲と異なる色の枠で選択領域が囲まれて表示されるか、選択領域全体が周囲と異なる色で表示されるかされるようになっている。さらに、各画面に示す矢印は、タブキー９ａを踏むごとに切り替わる順を示し、黒丸から延びる矢印が指す選択領域は、最初にアクティブ状態として表示される選択領域を示す。また、図３に示す基本画面３１以外の設定画面においても、各選択領域は、タブキー９ａを踏むごとに順に循環して、アクティブ状態に切り替わるようになっている。
【００４４】
以下、いくつかの設定動作について説明する。
なお、以下の各設定動作を行う前に、確定キー９ｂにより原稿カバー３を開けて、原稿載置台２に原稿を載せ、キャンセルキー９ｃにより原稿カバー３を閉じることができる。
【００４５】
＜用紙選択＞
ここでは、用紙サイズを設定する際の動作について説明する。
【００４６】
基本状態で、確定キー９ｂにより基本画面３１を確定して第２階層に進み、タブキー９ａにより用紙選択エリア４１をアクティブ状態にして確定キー９ｂを踏むと、第３階層に進む。ここでは、図４に示すように、用紙種ごとに６つの選択領域４１ａ〜４１ｆが表示されており、タブキー９ａを踏んで所望の選択領域をアクティブ状態にし、確定キー９ｂを踏むことで、用紙種が確定されるとともに、階層が１つ戻って６つの選択領域４１ａ〜４１ｆを再びアクティブ状態に切り替えられる状態となる。
【００４７】
そして、設定を終了して印刷を指示する場合は、キャンセルキー９ｃによりさらに第１階層まで戻って、タブキー９ａにより設定終了ボタン５０をアクティブ状態にして、確定キー９ｂにより確定することで印刷指示画面５１を表示させて、印刷部数の設定及び印刷の指示を行うことができる。
【００４８】
ここで、設定終了ボタン５０を押すと、印刷指示画面５１が開き、タブキー９ａにより、印刷部数設定エリア５３、印刷指示ボタン５５及び閉じるボタン５７のいずれかをアクティブ状態にできるようになっている。印刷部数設定エリア５３をアクティブ状態にして確定キー９ｂを踏むと、タブキー９ａにより個々のテンキーをアクティブ状態にできるようになり、確定キー９ｂにより必要な印刷部数を入力することができる。そして、印刷部数の設定後キャンセルキー９ｃを踏み、印刷指示ボタン５５をアクティブ状態にして確定キー９ｂを踏むことで印刷動作を指示することができる。
【００４９】
なお、印刷部数の設定を行わない場合は、直接印刷指示ボタン５５をアクティブ状態にして確定キー９ｂを踏むと、１部のみ印刷することができるとともに、基本状態に戻る。また、印刷指示画面５１を表示させたものの印刷を指示せずに他の設定をしたくなったような場合は、閉じるボタン５７をアクティブ状態にして確定させるかいずれかのボタン５３，５５，５７がアクティブ状態であるときにキャンセルキー９ｃを踏むことで、確定した用紙種をメモリに保持しつつ、基本状態に戻ることができる。
【００５０】
＜濃度設定＞
ここでは、印刷濃度を設定する際の動作について説明する。
【００５１】
基本状態で、確定キー９ｂにより基本画面３１を確定して第２階層に進み、タブキー９ａにより濃度設定エリア４３をアクティブ状態にして確定キー９ｂを踏むと、第３階層に進む。ここでは、図６に示すように、うすくボタン６１、こくボタン６３及び自動濃度ボタン６５及びコピー濃度ボタン６７の４つの選択領域が表示されており、タブキー９ａを踏んで所望の選択領域をアクティブ状態にして、確定キー９ｂに踏むことでいずれかを確定する。そして、手動で濃度を調整したい場合は、うすくボタン６１又はこくボタン６３に対して確定キー９ｂを踏む回数で任意の濃さに調整することができるが、別の方法として、コピー濃度ボタン６７を確定することで表示される図７に示す第４階層の設定画面７１においても同様の操作を行うことができる。
【００５２】
すなわち、この画面７１では、自動ボタン７３、手動ボタン７４、登録ボタン７５、元に戻すボタン７６及び閉じるボタン７７の５つの選択領域を順にアクティブ状態にできるが、ここで、手動ボタン７４を確定させると、第５階層のうすくボタン７８及びこくボタン７９が表示され、上記うすくボタン６１及びこくボタン６３と同様に操作して濃度調整を行うことができる。
【００５３】
なお、自動ボタン７３を確定させると、上記自動濃度ボタン６５と同様の動作が行われる。また、元に戻すボタン７６をアクティブ状態にして確定すると、調整した濃度を調整前の状態に戻すことができる。さらに、閉じるボタン７７を確定させると、手動により調整した濃度がメモリに保持される。また、元に戻すボタン７６又は閉じるボタン７７を確定させると、階層が１つ戻って基本画面３１が表示され、コピー濃度ボタン６７がアクティブ状態となる。
【００５４】
そして、設定を終了して印刷を指示する場合は、さらに第１階層まで戻って、設定終了ボタン５０をアクティブ状態にして確定することで、印刷指示画面５１を表示させて、印刷部数の設定及び印刷の指示を行うことができる。
【００５５】
＜画質設定＞
ここでは、画質を設定する際の動作について説明する。
【００５６】
基本状態で、タブキー９ａにより機能リストタブ３４をアクティブ状態にし、確定キー９ｂにより確定すると、第２階層に進み、図８に示す機能リスト１画面８１が開く。この画面８１には、それぞれ機能が割り当てられた１６個のボタンと、前へボタン８１ａ及び次へボタン８１ｂとが選択領域として表示される。この画面８１では、各選択領域は、図９に示すようにしてアクティブ状態に切り替わる。このうち次へボタン８１ｂを確定すると、図１０に示すような、画面８１に入りきらない他の９個の機能ボタンを有する機能リスト２画面８２が表示される。この画面８２でも前へボタン８２ａ及び次へボタン８２ｂが表示され、前へボタン８２ａを確定すると画面８１に戻るようになっている。
【００５７】
ここで、画面８１の、原稿の画質ボタン８１ｃを確定すると、第３階層に進み、図１１に示すような設定画面９１が開く。この画面９１には、文字＋写真モードボタン９２、写真モードボタン９３、文字モードボタン９４、登録ボタン９５、元に戻すボタン９６及び閉じるボタン９７の６つの選択領域を順にアクティブ状態にできるようになっている。ここで、いずれかのモードキー９２〜９４が確定されると、再び６つの選択領域がアクティブ状態になり、閉じるボタン９７を確定すると、いずれかのモードが確定される。また、元に戻すボタン９６及び閉じるボタン９７を確定させると、階層が１つ戻って設定画面８１が表示され、原稿の画質ボタン８１ｃがアクティブ状態となる。
【００５８】
そして、設定を終了して印刷を指示する場合は、さらに第１階層まで戻って、設定終了ボタン５０をアクティブ状態にして確定することで、印刷指示画面５１を表示させて、印刷部数の設定及び印刷の指示を行うことができる。
【００５９】
なお、ここで行った画質の設定は、基本画面３１の第２階層の選択領域として表示される機能登録エリア４９を確定して、原稿の画質ボタン（上記画面８１中の原稿の画質ボタンのショートカットキー）を確定することでも画面８１に移行することができるし、基本画面３１のユーザー機能タブ３２を確定させることで開く、図１２に示すような画面９９に表示される原稿の画質ボタン９９ａを確定させることでも画面８１に移行することができる。
【００６０】
＜プログラム登録＞
ここでは、所望の印刷条件をプログラム登録する際の動作について説明する。
【００６１】
基本状態で、タブキー９ａを踏んでプログラムタブ３６をアクティブ状態にして確定キー９ｂにより確定すると、図１３に示すような設定画面１０１が表示される。この画面１０１には、第２階層であるプログラム呼び出しエリア１０２及びプログラム登録エリア１０３の２つの選択領域が表示され、交互にアクティブ状態にできるようになっている。
【００６２】
この画面１０１で、プログラム登録エリアを確定して、第３階層である「現在の設定を登録」ボタン１０３ａを確定すると、第４階層に進んで図１４に示すような設定画面１１１が開き、８つの登録なしボタン及び作業終了ボタンを順にアクティブ状態にできるようになっている。この設定画面１１１は、登録したい設定を１〜８番のいずれの番号の選択領域に関連づけて記憶させるかを選択するための画面である。
【００６３】
ここで、例えば１番の登録なしボタンを確定すると、次に、図１５に示すような第５階層である設定画面１２１が開く。この設定画面１２１は、新たに登録しようとする設定に名前を付けるための入力操作を行うための画面であり、数字キー、文字キー、中止ボタン及び入力終了ボタン１２１ａからなる多数の選択領域が示される。
【００６４】
この画面１２１において、登録したいプログラムの名前を入力し、入力終了ボタン１２１ａを確定すると、次いで図１６に示すような第６階層の設定画面１３１が開き、プログラム登録の可否を決定するための、はいボタン及びいいえボタンや、中止ボタンの３つの選択領域が示される。ここで、はいボタンを確定すると、現在の設定が１番の欄に「カタログ１」という名称で登録され、図１７に示すように、画面１０１において、この欄を確定することで印刷時にメモリから呼び出して実行させることができるようになる。
【００６５】
［画像形成装置の効果］
以上のような画像形成装置１によれば、ユーザーが手を使える場合は、タッチパネルに触れることで設定画面に対する設定操作を行えるが、手が使えない場合等であっても、フットキー９を操作することで、表示パネル２１の設定画面を見ながら、表示パネル２１と同様の設定操作を行うことができる。
【００６６】
ここでは、ユーザーが両手を使えないような状況でも、単純な動作の指示に比べ複雑な設定操作が要求される動作条件の設定を容易に行うことができる。
【００６７】
［他の実施形態］
（ａ）上記設定例以外に、例えば、倍率を設定する場合に、予め用意されたいずれかの倍率を選択する以外にユーザーが任意の倍率を設定できるようになっている場合は、フットキーを踏み続けることで倍率が連続的に増大し、キャンセルキーを踏み続けることで倍率が連続的に減少するよう構成されても良い。
【００６８】
（ｂ）フットキーは、２つ以上同時に踏むことで、上記と同様の機能又は他の機能が奏されるよう構成されても良い。
【００６９】
（ｃ）本発明は、画像形成装置に限らず、他の電気機器にも適用可能である。
【図面の簡単な説明】
【００７０】
【図１】本発明の一実施形態が採用された画像形成装置を示す斜視図。
【図２】前記画像形成装置の構成を示すブロック図。
【図３】前記画像形成装置の表示パネルに表示される基本画面を示す平面図。
【図４】前記基本画面の用紙選択エリアでの切り替え順を示す部分平面図。
【図５】印刷条件の確定後に表示される印刷指示画面を示す平面図。
【図６】前記基本画面の濃度設定エリアでの切り替え順を示す部分平面図。
【図７】前記濃度設定エリアのコピー濃度ボタンを確定して開く設定画面を示す平面図。
【図８】前記基本画面の機能リストタブを確定した場合に開く設定画面を示す平面図。
【図９】図８の画面における選択領域の切り替え順を示す部分平面図。
【図１０】図８の画面の次へボタンを確定すると開く設定画面を示す平面図。
【図１１】図８の原稿の画質ボタンを確定すると開く設定画面を示す平面図。
【図１２】前記基本画面のユーザ機能タブを確定した場合に開く設定画面を示す平面図。
【図１３】前記基本画面のプログラムタブを確定した場合に開く設定画面を示す平面図。
【図１４】図１３の設定画面の１つ下の階層の設定画面を示す平面図。
【図１５】図１４の設定画面の１つ下の階層の設定画面を示す平面図。
【図１６】図１５の設定画面の１つ下の階層の設定画面を示す平面図。
【図１７】図１６のはいボタンを確定して表示される画面を示す平面図。
【符号の説明】
【００７１】
１  画像形成装置
３  原稿カバー
５  本体部
５ａ  胴体部
５ｂ  底部
９  フットキー
９ａ  タブキー
９ｂ  確定キー
９ｃ  キャンセルキー
２１  表示パネル
３０，３２，３４，３６  選択領域
３１  設定画面
【図１】
2005241719.tif 000003
【図２】
2005241719.tif 000004
【図３】
2005241719.tif 000005
【図４】
2005241719.tif 000006
【図５】
2005241719.tif 000007
【図６】
2005241719.tif 000008
【図７】
2005241719.tif 000009
【図８】
2005241719.tif 000010
【図９】
2005241719.tif 000011
【図１０】
2005241719.tif 000012
【図１１】
2005241719.tif 000013
【図１２】
2005241719.tif 000014
【図１３】
2005241719.tif 000015
【図１４】
2005241719.tif 000016
【図１５】
2005241719.tif 000017
【図１６】
2005241719.tif 000018
【図１７】
2005241719.tif 000019